(57)【要約】ＣＤ又はＤＶＤを収納する容器（１）は、安全保証表示が外側に形成され又は装着されたプラスチックフィルム３を備えている。この安全保証表示は、例えばホログラムといった回析要素を備えていることが好ましい。
2005537191.tif 000002
【特許請求の範囲】
【請求項１】
外装されるプラスチックフィルムを備え、
該プラスチックフィルムに安全保証表示が形成又は装着されていることを特徴とする容器。
【請求項２】
請求項１に記載の容器であって、
前記安全保証表示が回析要素を備えていることを特徴とする容器。
【請求項３】
請求項１又は２に記載の容器であって、
前記安全保証表示が反復模様を備えていることを特徴とする容器。
【請求項４】
請求項３に記載の容器であって、
前記反復模様の反復長さが、前記安全保証表示が付される部位の寸法よりも短いことを特徴とする容器。
【請求項５】
請求項１から４の何れか一つに記載の容器であって、
前記安全保証表示が細片状に形成されていることを特徴とする容器。
【請求項６】
請求項５に記載の容器であって、
前記細片が５ｍｍから２０ｍｍの幅とされていることを特徴とする容器。
【請求項７】
請求項５又は６に記載の容器であって、
前記細片が搬送用シートに形成されていることを特徴とする容器。
【請求項８】
請求項７に記載の容器であって、
前記搬送用シートがプラスチックシートであることを特徴とする容器。
【請求項９】
請求項７に記載の容器であって、
前記安全保証表示が、前記搬送用シート上の金属層になされた表示を備えていることを特徴とする容器。
【請求項１０】
請求項９に記載の容器であって、
前記金属層が、脱離可能なカバーシートによって覆われていることを特徴とする容器。
【請求項１１】
請求項７に記載の容器であって、
前記搬送用シートが、結合処理によってフィルムに固定されることを特徴とする容器。
【請求項１２】
請求項１１に記載の容器であって、
前記結合処理が、低温で融解する接着剤による処理とされていることを特徴とする容器。
【請求項１３】
請求項９に記載の容器であって、
前記金属層が、前記搬送用シートと前記フィルムとの間に挟まれていることを特徴とする容器。
【請求項１４】
請求項１から１３の何れか一つに記載の容器であって、
前記フィルムが透明フィルムであることを特徴とする容器。
【請求項１５】
請求項１４に記載の容器であって、
前記フィルムが、容器の外壁とフィルムとの間で滑る紙管を保持するためのものとされていることを特徴とする容器。
【請求項１６】
請求項１から１５の何れか一つに記載の容器であって、
ＣＤ又はＤＶＤを収納するものとされていることを特徴とする容器。
【請求項１７】
容器の外側に固定されるプラスチックフィルムに安全保証表示を形成させ又は装着させることを特徴とする安全保証表示の貼付方法。
【請求項１８】
請求項１７に記載の方法であって、
前記安全保証表示が、前記フィルムに固定される長さの細片状に形成されていることを特徴とする方法。
【請求項１９】
請求項１７又は１８に記載の方法であって、
前記フィルムが、前記容器に付される前又は付される際に、連続した又は巻回されたフィルムから切り出されることを特徴とする方法。
【請求項２０】
請求項１７から１９の何れか一つに記載の方法であって、
前記安全保証表示が、前記フィルムが前記容器に付される前又は付される際に前記フィルムに付されることを特徴とする方法。
【請求項２１】
実質的に明細書及び／又は一つ又は複数の添付図面に示された容器。
【請求項２２】
実質的に明細書及び／又は一つ又は複数の添付図面に示された容器への安全保証表示の貼付方法。
【発明の詳細な説明】
【技術分野】
【０００１】
本発明は、製品に付される安全保証表示（security marking）及びその成形方法に関する。
【背景技術】
【０００２】
歯磨き粉入りチューブ、甘味物の包装、及び、これらに類する他の商品に、人目を引く模様が付されているのが知られている。これらの模様は、印刷されたもの或いはホログラフィーマーク又は他の回析などである。
【０００３】
また、例えば、銀行通帳、クレジットカード、ＣＤ或いはＤＶＤ、又は、製品の包装紙に安全保証表示としてホログラフィック又は他の回析像が付されているのが知られている。しかしながら、ＣＤ或いはＤＶＤ又はそのような商品への表示又は増大する安全保証表示についての他の代替表示方法のニーズが存在する。
【発明の開示】
【発明が解決しようとする課題】
【０００４】
本発明の第一の側面によれば、ＣＤやＤＶＤのような製品を収納し、外側を安全保証表示が形成され又は添付されたプラスチックフィルムが覆う容器が提供される。
【課題を解決するための手段】
【０００５】
安全保証表示は、例えば、ホログラムといった回折要素を具備していることが好ましい。回折要素は、プラスチックフィルムに押圧成形されて面状に形成され得る。米国特許第５２００２５３号明細書には、プラスチックシートが成形されると同時にその部分の全体に回析模様が形成される方法が記載されている。入射した光を表面が反射又は回折させる。面は、ランダム又は規則的な模様とされ、かつ、安全のレベルを表示するように装飾されて使用され得る。
【０００６】
そのような面の製造方法は、フィルムの特性に依存する。そのような面は、例えば、ニッケルといった金属製の基準乾板を使用してフィルムに刻印される。刻印処理は、刻印されるフィルムの特性に応じて冷却処理又は加熱処理される。
【０００７】
安全保証表示は、表示が付される容器の大きさよりも短い長さで繰り返される反復模様を備えていることが好ましい。
【０００８】
安全保証表示は、フィルムに締め付けられる長さとされる細片状に形成される。
【０００９】
フィルムは、フィルムが容器に付される前又はその際に、連続した又は巻回されたフィルムから切り出されるのが好ましい。
【００１０】
安全保証表示は、フィルムが容器に付される前又はその際にフィルムに付されるのが好ましい。
【００１１】
フィルムは、一端のみが溶接又は接着剤の細片によって容器に装着されているのが好ましい。
【００１２】
安全性を示す模様は、例えば、ポリプロピレンといった、例えばプラスチック製の薄いシートのような搬送用シート上に形成されるのが好ましい。そして、フィルムは、ポリプロピレンの形をなしているのが好ましい。
【００１３】
いくつかの場合において、安全保証表示は、搬送用シート上の金属層になされた刻印を備えている。
【００１４】
フィルムへの装着前に、金属層は脱離可能なカバーシートにて保護され得る。
【００１５】
搬送用シートは、低温で融解する接着剤又は他の低温結合処理によってフィルムに固定されるのが好ましい。
【００１６】
金属層は、搬送用シートとフィルムとの間に挟まれるのが好ましい。
【００１７】
フィルムは、そのような製品にすでに供給されて、例えば、（例えば従来のＤＶＤ又はビデオカセットの容器に挿入されているように）容器の外壁とフィルムとの間で滑る紙管の保持に使用されるのが好ましい。
【００１８】
安全保証表示は、幅が５ｍｍから２０ｍｍとされて端部が隣接して容器の周囲に装着されるのが好ましい。
【００１９】
本発明の他の形態は、以下の記載から明らかにされる。
【発明を実施するための最良の形態】
【００２０】
本発明について、これから添付する図に準拠してより詳細に記載されるが、単なる例に過ぎない。
【００２１】
図１は、互いにヒンジ結合された蓋部１Ａ及び底部１Ｂを備える従来の容器１を示す。容器１は、例えば、容器１内に収納されるフィルム又はＤＶＤの他の内容物の詳細を記載して挿入される紙を受け取る管を形成するように、端部１Ｃ及び１Ｄに沿ってのみ容器に装着されて被覆物としてその外側に配される、例えば、ポリプロピレンの透明シートのような不図示のプラスチックフィルムを備えている。図１はまた、例えば、フロントカバー１Ａを交差して背骨部分を回ってバックカバー１Ｂを交差するように、容器１の底部端の回りに付されるホログラフィック細片２のような安全保証表示を示す。
【００２２】
図２は、図１における安全表示の代わりに使用され得る他の実施形態に係るホログラフ安全表示細片３を示す平面図である。
【００２３】
図３は、そのような容器に付される細片の形態及び用途を示す概要図である。安全表示細片２は、プラスチック製搬送用シート２Ａと、安全保証表示がなされた金属層２Ｂと、状況に応じては保護カバーシート２Ｃ（分離された状態を図示）とを備えている。
【００２４】
一度カバーシート２Ｃが取り外された場合、安全表示細片２は、容器１の周囲の被覆物とされるプラスチックフィルム３に装着されるので、金属層２Ｂは搬送用シート２Ａとフィルム３との間に挟まれる。
【００２５】
上述した記載内容の代わりに、成形フィルムとして又は従来のフィルムへの圧痕としてフィルムに直接刻印がなされ得る。
【００２６】
例えば、このような表示を例えばクレジットカードのような製品上に付される個々のラベルと比較すると、上述した安全保証表示の適用は比較的安価になる。
【図面の簡単な説明】
【００２７】
【図１】安全表示細片の好ましい形態が付されたＤＶＤ容器を示す正面図である。
【図２】図１に示される安全表示細片の代わりに使用される他の形態を示す平面図である。
【図３】容器に付される際に安全表示細片がどのようにフィルムに装着されるかを示す構成図である。
【符号の説明】
【００２８】
１  容器
２  安全品質表示
２Ａ  搬送用シート
２Ｂ  金属層
２Ｃ  カバーシート
３  フィルム
【図１】
2005537191.tif 000003
【図２】
2005537191.tif 000004
【図３】
2005537191.tif 000005
【国際調査報告】
2005537191.tif 000006
2005537191.tif 000007